(57)【要約】【課題】信頼性を向上させる【解決手段】紙幣入出金機１０は、繰り出される紙幣と集積される紙幣とを分別せず収容する紙幣入出金部５において、投入され収容された複数の紙幣を１枚ずつ分離して繰り出す分離繰出機構２４と、搬送された紙幣を、収容されている紙幣に重ねて集積する集積機構２３とを設けるようにした。また紙幣入出金機１０は、搬送部１４により少なくとも分離繰出機構２４と集積機構２３との間で紙幣を１枚ずつ搬送し、鑑別を行う前に、搬送部１４上に設けられた鑑別部１１により、紙幣入出金部５に投入された紙幣の総数である投入紙幣枚数を計数するようにした。【選択図】図５
2014016717.tif 000002
【特許請求の範囲】
【請求項１】
投入され収容された複数の紙葉状の媒体を１枚ずつ分離して繰り出す分離繰出機構と、搬送された媒体を集積する集積機構とが設けられ、繰り出される上記媒体と集積される上記媒体とを分別せず収容する媒体収容部と、
少なくとも上記分離繰出機構と上記集積機構との間で上記媒体を１枚ずつ搬送する搬送路と、
上記搬送路上に設けられ、上記媒体収容部に投入された上記媒体の総数である投入媒体枚数を計数する計数部と
を有する媒体処理装置。
【請求項２】
上記搬送路上に設けられ、上記媒体を一時的に保持する媒体保持部と、
上記媒体収容部に投入された上記媒体が全て当該媒体収容部から繰り出されるまで、上記計数部により計数された上記媒体を上記媒体保持部へ搬送させて保持させ、上記媒体が全て当該媒体収容部から繰り出されると、上記媒体保持部から上記媒体を上記媒体収容部へ集積させる制御部と
をさらに有する請求項１に記載の媒体処理装置。
【請求項３】
上記搬送路上に設けられ、上記媒体が正常であるか異常であるかを鑑別する鑑別部
をさらに有し、
上記制御部は、上記計数部により計数され上記媒体収容部に集積された上記媒体を上記鑑別部に搬送させ、当該鑑別部により正常と鑑別された媒体を上記媒体保持部に保持させる一方、異常と鑑別された媒体を上記媒体収容部へ集積させる
請求項２に記載の媒体処理装置。
【請求項４】
上記制御部は、正常と鑑別された媒体の枚数である正常媒体枚数と、異常と鑑別された媒体の枚数である異常媒体枚数とを計数し、上記正常媒体枚数と上記異常媒体枚数との和が上記投入媒体枚数に達した際、上記媒体収容部に集積された媒体を一通り鑑別したと判定する
請求項３に記載の媒体処理装置。
【請求項５】
上記制御部は、異常と鑑別され上記媒体収容部に集積された媒体を上記鑑別部により再び鑑別させ、当該鑑別部により正常と鑑別された媒体を上記媒体保持部に保持させる一方、異常と鑑別された媒体を再び上記媒体収容部へ集積させる鑑別動作を繰り返し行う
請求項４に記載の媒体処理装置。
【請求項６】
上記制御部は、上記鑑別動作を、予め設定された鑑別限度回数に達するまで繰り返し行う
請求項５に記載の媒体処理装置。
【請求項７】
上記制御部は、上記異常媒体枚数が０となった場合、上記媒体収容部に投入された媒体は全て正常であったと判定する
請求項６に記載の媒体処理装置。
【請求項８】
上記計数部は、上記鑑別部に設けられている
請求項７に記載の媒体処理装置。
【請求項９】
情報処理装置に対し、
投入され収容された複数の紙葉状の媒体を１枚ずつ分離して繰り出す分離繰出機構と、搬送された媒体を集積する集積機構とが設けられ、繰り出される上記媒体と集積される上記媒体とを分別せず収容する媒体収容部に投入された上記媒体の総数を計数する計数ステップ
を実行させる媒体処理プログラム。
【発明の詳細な説明】
【技術分野】
【０００１】
本発明は媒体処理装置及び媒体処理プログラムに関し、例えば紙幣等の媒体を投入して所望の取引を行う現金自動預払機（ＡＴＭ）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金部と、投入された紙幣の金種及び真偽を鑑別する鑑別部と、投入された紙幣を一時的に保留する一時保留部と、紙幣を搬送する搬送部と、金種ごとに紙幣を格納する紙幣カセットとを有するものがある。
【０００４】
このような紙幣入出金部には、投入され収容された複数の紙幣を１枚ずつ分離して繰り出す分離繰出機構と、搬送された紙幣を収容された紙幣に重ねて集積する集積機構とが設けられたものが提案されている（例えば、特許文献１参照）。
【０００５】
この現金自動預払機は、鑑別部により紙幣を所定回数だけ鑑別し、正常な紙幣を一時保留部に保留する一方、異常な紙幣を紙幣入出金部へ集積するようになされている。
【０００６】
またこの現金自動預払機は、紙幣に印刷された固有の番号である記番号を鑑別部により読み取り、同じ紙幣を所定回数だけ繰り返し鑑別しても（すなわち以前読み取った記番号が印刷された紙幣をその後再び鑑別しても）未だ異常であると鑑別した場合、紙幣を紙幣入出金部へ搬送し、顧客へ返却する。
【先行技術文献】
【特許文献】
【０００７】
【特許文献１】特開２００７−２４１７６２公報
【発明の概要】
【発明が解決しようとする課題】
【０００８】
しかしながら現金自動預払機は、紙幣が破れたり汚損等していたりした場合、鑑別部において記番号が読み取れない可能性がある。
【０００９】
そのような場合、現金自動預払機は、同一の記番号が印刷された紙幣を再度鑑別していることを認識できずに、際限なく鑑別し続けてしまうおそれがあったため、信頼性が低下してしまうおそれがあった。
【００１０】
本発明は以上の点を考慮してなされたもので、信頼性を向上し得る媒体処理装置及び媒体処理プログラムを提案しようとするものである。
【課題を解決するための手段】
【００１１】
かかる課題を解決するため本発明の媒体処理装置においては、投入され収容された複数の紙葉状の媒体を１枚ずつ分離して繰り出す分離繰出機構と、搬送された媒体を集積する集積機構とが設けられ、繰り出される媒体と集積される媒体とを分別せず収容する媒体収容部と、少なくとも分離繰出機構と集積機構との間で媒体を１枚ずつ搬送する搬送路と、搬送路上に設けられ、媒体収容部に投入された媒体の総数である投入媒体枚数を計数する計数部とを設けるようにした。
【００１２】
これにより本発明の媒体処理装置は、正常媒体の枚数と異常媒体の枚数との和を投入媒体枚数と比較することで、媒体収容部に収容された媒体を一通り鑑別したことを認識し、再鑑別回数を正確に把握できる。
【００１３】
また本発明の媒体処理プログラムにおいては、投入され収容された複数の紙葉状の媒体を１枚ずつ分離して繰り出す分離繰出機構と、搬送された媒体を集積する集積機構とが設けられ、繰り出される媒体と集積される媒体とを分別せず収容する媒体収容部に投入された媒体の総数を計数する計数ステップとを設けるようにした。
【００１４】
これにより本発明の媒体処理プログラムでは、正常媒体の枚数と異常媒体の枚数との和を投入媒体枚数と比較することで、媒体収容部に収容された媒体を一通り鑑別したことを認識し、再鑑別回数を正確に把握できる。
【発明の効果】
【００１５】
本発明によれば、正常媒体の枚数と異常媒体の枚数との和を投入媒体枚数と比較することで、媒体収容部に収容された媒体を一通り鑑別したことを認識し、再鑑別回数を正確に把握できる。かくして本発明は、信頼性を向上し得る媒体処理装置及び媒体処理プログラムを実現できる。
【図面の簡単な説明】
【００１６】
【図１】現金自動預払機の外観構成を示す略線的斜視図である。
【図２】紙幣入出金機の構成を示す略線図である。
【図３】紙幣入出金部の構成を示す略線図である。
【図４】現金自動預払機の回路構成を示す略線的ブロック図である。
【図５】入金処理手順（１）を示すフローチャートである。
【図６】入金処理手順（２）を示すフローチャートである。
【発明を実施するための形態】
【００１７】
以下、発明を実施するための形態（以下実施の形態とする）について、図面を用いて説明する。
【００１８】
［１．実施の形態］
［１−１．現金自動預払機の構成］
図１に外観を示すように、現金自動預払機１は、箱状の筐体２を中心に構成されており、例えば金融機関等に設置され、顧客との間で入金取引や出金取引等の現金に関する取引を行うようになされている。
【００１９】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２０】
接客部３は、カード・レシート取扱部４、紙幣入出金部５、顧客操作部６、硬貨入出金部７及び通帳取扱部８が設けられており、顧客との間で現金や通帳等を直接やり取りすると共に、取引に関する情報の通知や操作指示の受付を行うようになされている。
【００２１】
硬貨入出金部７及び紙幣入出金部５は、顧客が入金する硬貨及び紙幣がそれぞれ投入されると共に、顧客へ出金する硬貨及び紙幣がそれぞれ排出される部分である。また硬貨入出金部７及び紙幣入出金部５は、それぞれに設けられたシャッタを駆動することにより開放又は閉塞するようになされている。
【００２２】
通帳取扱部８は、取引で使用される通帳が挿入されると取引内容等を通帳に記録し、取引が終了すると通帳を排出するようになされている。
【００２３】
カード・レシート取扱部４は、キャッシュカード等の各種カードが挿入されると、各種カードに磁気記録された口座番号等を読み取り、取引が終了すると各種カードを排出すると共に、取引内容を印刷したレシートを排出するようになされている。
【００２４】
顧客操作部６は、取引に際して操作画面を表示するＬＣＤ（Liquid Crystal Display）と、取引の種類の選択、暗証番号や取引金額などを入力するタッチパネルとが一体化されている。
【００２５】
筐体２は、前面側やその反対側（すなわち背面側）等の一部の側面が開閉可能な扉により構成されている。すなわち筐体２は、顧客との間で現金に関する取引を行う取引動作時には、図１に示したように各扉を閉塞することにより、内部に収納している紙幣を保護する。一方筐体２は、保守作業が行われる場合等に各扉を開放することにより、内部へのアクセスや保守作業等を容易化するようになされている。
【００２６】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２７】
［１−２．紙幣入出金機の内部構成］
筐体２内には、現金自動預払機１全体を統括制御する主制御部９や、紙幣制御部１６により制御され紙幣に関する種々の処理を行う紙幣入出金機１０等が設けられている。
【００２８】
紙幣入出金機１０の内部には、上側に接客部３（図１）の紙幣入出金部５、紙幣の金種や真偽を判定する鑑別部１１、入金紙幣等を一時的に保留する一時保留部１２及び取引時に顧客が紙幣入出金部５から取り忘れた紙幣を回収して格納する取忘れ回収庫１３等が設けられている。
【００２９】
搬送部１４は、図示しないローラやベルト等により、図中太線で示す搬送路に沿って紙幣を短辺方向に搬送するようになされている。搬送部１４は、鑑別部１１を前後方向に挿通させるように紙幣を搬送し、当該鑑別部１１の後側と一時保留部１２、取忘れ回収庫１３及び紙幣入出金部５とをそれぞれ接続している。また搬送部１４は、鑑別部１１の前側と紙幣入出金部５及び後述する紙幣収納部１５とを接続している。
【００３０】
図３に示すように、紙幣入出金部５は主に、紙幣収容部２２、集積機構２３及び分離繰出機構２４により構成されている。
【００３１】
紙幣プール壁２５は、側断面が略Ｕ字（コ字）形状の部材で形成されており、紙幣入出金部５に入金又は出金する紙幣ＢＬを一時的に蓄積する空間である紙幣収容部２２の三側面を形成すると共に紙幣ＢＬの入出を可能にする開口部２６を形成している。
【００３２】
この紙幣プール壁２５は、図示しない軸、駆動部及び駆動伝達部により、当該軸を支点として図中時計方向及び反時計方向に回動自在に構成されている。
【００３３】
顧客との間で紙幣ＢＬの授受を行う場合、紙幣プール壁２５は図３（Ａ）に示すように、紙幣ＢＬの授受を行うよう上下方向に穿設された紙幣入出金口２７と紙幣収容部２２の開口部２６とが対向する位置（この位置を紙幣入出金位置とも呼ぶ）へ回動する。
【００３４】
また、紙幣収容部２２へ投入された紙幣ＢＬを１枚ずつ分離して搬送部１４へ繰り出す場合、又は異常な紙幣ＢＬ若しくは出金する紙幣ＢＬを搬送部１４を介して紙幣収容部２２に集積する場合、紙幣プール壁２５は図３（Ｂ）に示すように、紙幣収容部２２の開口部２６が集積機構２３及び分離繰出機構２４に対向する位置（この位置を分離集積位置とも呼ぶ）に回動する。
【００３５】
集積機構２３は、分離集積位置における紙幣収容部２２後方上側に設けられている。集積機構２３において紙幣収容部２２の上部分と対向する位置に設けられた集積ローラ２８（２８ａ及び２８ｂ）は、図示しない駆動部により図中反時計方向及び時計方向にそれぞれ回転することにより、搬送部１４で搬送された紙幣ＢＬを挟持し紙幣収容部２２へ送り出す。
【００３６】
集積ローラ２８ｂの回転軸には、ゴム等の弾性部材で形成された舌片３１が設けられている。この舌片３１は、集積ローラ２８ｂと共に時計方向に回転することにより、紙幣収容部２２へ送り出された紙幣ＢＬの後端部分を、下方向へ向けて叩き落とす。
【００３７】
一方分離繰出機構２４は分離集積位置における紙幣収容部２２の後方下側に設けられている。紙幣収容部２２に集積された紙幣ＢＬの下面の先端部に当接する位置に設けられた分離繰出機構２４の分離繰出ローラ２９は、図示しない駆動部により図中反時計方向及び時計方向にそれぞれ回転することにより、紙幣ＢＬを１枚ずつ分離して繰り出す。
【００３８】
フィードローラ３０（３０ａ及び３０ｂ）は、図示しない駆動部により図中時計方向及び反時計方向にそれぞれ回転することにより、分離繰出ローラ２９により繰り出された紙幣ＢＬを１枚ずつ搬送部１４へ送り出す。
【００３９】
また紙幣入出金部５には、光学式センサ等で構成された紙幣検出センサ（図示せず）が設けられ、紙幣収容部２２の紙幣ＢＬの存否を確認することにより、紙幣収容部２２の全ての紙幣ＢＬが分離して繰り出されたか否かを判定し、その判定結果を紙幣制御部１６（図１）へ通知する。
【００４０】
このように紙幣入出金部５は、分離繰り出しする紙幣ＢＬと集積する紙幣ＢＬとを、同一の紙幣収容部２２に収容しつつ、互いに物理的に分離する仕切板を設けないことにより、部材を簡略化するようになされている。
【００４１】
鑑別部１１（図２）は、その内部で紙幣を搬送しながら、光学素子や磁気検出素子等を用いて当該紙幣の金種及び真偽、並びに損傷の程度等（正損）を鑑別し、その鑑別結果を紙幣制御部１６（図１）へ通知する。これに応じて紙幣制御部１６は、取得した鑑別結果に基づいて当該紙幣の搬送先を決定する。
【００４２】
また鑑別部１１は、内部を搬送させた紙幣の枚数を計数し、計数結果を紙幣制御部１６へ通知する。
【００４３】
一時保留部１２は、入金時に顧客が紙幣入出金部５へ投入した紙幣の全てを一時的に保留すると共に、その後鑑別部１１で入金可能と鑑別された紙幣を、入金が確定するまで一時的に保留する。
【００４４】
また紙幣入出金機１０の内部には、下側に金種別の紙幣カセット等を有する紙幣収納部１５と、鑑別部１１において破損した紙幣（いわゆる損券）と鑑別された紙幣及び５千券や２千券等の還流されない金種の紙幣を格納する損券庫１８とが設けられている。
【００４５】
紙幣収納部１５は、図示しない収納排出機構により、搬送部１４から搬送されてきた紙幣を取り込んで紙幣カセット１７Ａ、１７Ｂ、１７Ｃ及び１７Ｄ（以下まとめて紙幣カセット１７と呼ぶ）に収納させ、また紙幣カセット１７に収納されている紙幣を排出して搬送部１４へ供給するようになされている。
【００４６】
［１−３．現金自動預払機の回路構成］
現金自動預払機１の内部には、図４に示すように、現金自動預払機１全体を統括制御する主制御部９と、紙幣に関する種々の処理を行う紙幣制御部１６等が設けられている。
【００４７】
主制御部９は、図示しないＣＰＵ（Central Processing Unit）やワークエリアとして用いられるＲＡＭ（Random Access Memory）等を有しており、ハードディスクドライブ、フラッシュメモリ、ＲＯＭ（Read Only Memory）等でなる記憶部２０から基本プログラムや各種アプリケーションプログラムを読み出して実行することにより、入金取引や出金取引等の種々の処理を行うようになされている。
【００４８】
また主制御部９は、顧客との間で行われる各種取引に関して統括的な制御を行うようになされており、顧客との取引内容に応じて、硬貨入出金部７、紙幣入出金部５、通帳取扱部８、カード・レシート取扱部４及び顧客操作部６をそれぞれ制御するようになされている。
【００４９】
係員操作部１９は、例えば筐体２の背面に設けられると共に所定の操作キーを有しており、現金自動預払機１を管理する金融機関の職員等（以下これを係員と呼ぶ）による当該操作キーを介した操作を受け付け、その操作指示を主制御部９へ供給する。
【００５０】
紙幣制御部１６は、主制御部９と同様、図示しないＣＰＵやＲＡＭ等を有しており、ハードディスクドライブ、フラッシュメモリ、ＲＯＭ等でなる記憶部２１から基本プログラムや、入金処理プログラム等の各種アプリケーションプログラムを読み出して実行することにより、紙幣の搬送先を決定する処理等、種々の処理を行うようになされている。
【００５１】
また紙幣制御部１６は、主制御部９と連携しながら鑑別部１１、一時保留部１２及び搬送部１４等といった各部の動作を制御することにより、各部の間で紙幣を搬送し、また各部に紙幣を収納し、或いは各部から紙幣を排出するようになされている。
【００５２】
例えば顧客が紙幣を入金する入金取引を行う場合、主制御部９は、顧客操作部６を介して所定の操作入力を受け付けた後、紙幣入出金部５（図２）のシャッタを開いて紙幣を投入させる。
【００５３】
続いて主制御部９は、紙幣制御部１６と連携し、投入された紙幣の全てを搬送部１４を介して１枚ずつ鑑別部１１へ搬送して計数させ、一時保留部１２へ搬送して一時的に保留させる。
【００５４】
これにより紙幣制御部１６は、入金取引において紙幣入出金部５に投入された全ての紙幣（以下では、全投入紙幣とも呼ぶ）の枚数である投入紙幣枚数を得る。
【００５５】
続いて紙幣制御部１６は、一時保留部１２に保持させた全投入紙幣を紙幣入出金部５へ搬送し、集積させる。
【００５６】
さらに紙幣制御部１６は、紙幣入出金部５から紙幣を１枚ずつ鑑別部１１へ搬送して鑑別させ、正常紙幣と鑑別された紙幣を一時保留部１２へ搬送して一時的に保留させる一方、取引すべきでないと鑑別された異常紙幣を紙幣入出金部５へ搬送して集積させる。
【００５７】
このとき紙幣制御部１６は、紙幣入出金部５における分離繰出機構２４（図３）の動作を停止させると共に集積機構２３の動作を開始させることにより、紙幣入出金部５に紙幣が存在する場合は、当該紙幣の上に異常紙幣を集積させる。
【００５８】
全ての紙幣の鑑別を一通り終えると、正常紙幣は一時保留部１２に保持され、異常紙幣は紙幣入出金部５に集積された状態となる。
【００５９】
続いて紙幣制御部１６は、紙幣入出金部５に集積された全ての異常紙幣を１枚ずつ鑑別部１１へ再び搬送することにより、再鑑別動作（リトライ動作）を行わせ、正常紙幣と鑑別された紙幣を一時保留部１２へ搬送して一時的に保留させる一方、異常紙幣を紙幣入出金部５へ再び搬送して集積させる。
【００６０】
このように現金自動預払機１は、主制御部９及び紙幣制御部１６の制御に基づき、全投入紙幣を一時保留部１２へ搬送しつつ鑑別部１１により投入紙幣枚数を確定した後に当該全投入紙幣の鑑別を行い、異常紙幣を紙幣入出金部５へ集積させて繰り返し鑑別する入金処理を実行するようになされている。
【００６１】
鑑別の結果、投入された紙幣が全て正常紙幣であると判定された場合、その後主制御部９は、顧客操作部６を介して顧客に入金金額を確定させると共に、紙幣制御部１６と連携して一時保留部１２に保留している紙幣を再び鑑別部１１へ搬送して金種を再鑑別させて、鑑別された金種に応じて紙幣収納部１５の各紙幣カセット１７へ搬送し収納させるようになされている。
【００６２】
また、例えば顧客へ紙幣を出金する出金取引を行う場合、主制御部９は、カード・レシート取扱部４を介して顧客にキャッシュカードを挿入させて口座番号等を読み取り、また顧客操作部６を介して出金すべき金額等を入力させる。
【００６３】
続いて主制御部９は、紙幣制御部１６と連携し、紙幣収納部１５の各紙幣カセット１７Ａ〜１７Ｄから出金すべき金額に応じた紙幣を排出させ、搬送部１４により鑑別部１１へ順次搬送して鑑別させ、正常紙幣と鑑別された紙幣を紙幣入出金部５へ搬送する一方、破損又は汚損していると鑑別された損券を損券庫１８へ搬送して収納させる。
【００６４】
その後主制御部９は、紙幣入出金部５のシャッタを開いて顧客に紙幣を取り出させると共に、カード・レシート取扱部４を介して顧客にキャッシュカードを返却し、さらに取引内容を印刷したレシートを排出させる。
【００６５】
［１−４．入金処理手順］
次に、現金自動預払機１による入金処理の具体的な処理手順について、図５及び図６のフローチャートを用いて詳細に説明する。
【００６６】
現金自動預払機１の紙幣制御部１６は、電源が投入され基本プログラムが実行された後、記憶部２１から入金処理プログラムを読み出して実行することにより入金処理手順ＲＴ１を開始し、ステップＳＰ１へ移る。
【００６７】
ステップＳＰ１において紙幣制御部１６は、正常紙幣カウンタＯＫ＿ＣＮＴ、異常紙幣カウンタＮＧ＿ＣＮＴ及びリトライカウンタＲＴＹ＿ＣＮＴを”０”で初期化し、次のステップＳＰ２へ移る。
【００６８】
ここで、正常紙幣カウンタＯＫ＿ＣＮＴは、全投入紙幣のうち鑑別部１１で正常紙幣と鑑別された紙幣の枚数を示しており、異常紙幣カウンタＮＧ＿ＣＮＴは、全投入紙幣のうち鑑別部１１で異常紙幣と鑑別された紙幣の枚数を示している。またリトライカウンタＲＴＹ＿ＣＮＴは、異常紙幣と鑑別された紙幣を紙幣入出金部５から再度鑑別部１１へ搬送し、再鑑別した回数、すなわち鑑別をリトライした回数を示している。
【００６９】
ステップＳＰ２において紙幣制御部１６は、紙幣入出金部５に投入された紙幣の全てを、鑑別部１１を経由して一時保留部１２へ搬送する。このとき紙幣制御部１６は、鑑別部１１において紙幣の真偽の鑑別は行わずに紙幣の枚数の計数を行い、投入枚数カウンタＴ＿ＣＮＴを設定し、次のステップＳＰ３へ移る。
【００７０】
ここで投入枚数カウンタＴ＿ＣＮＴは、鑑別部１１において計数した、顧客が投入した投入紙幣の総数、すなわち投入紙幣枚数を示している。
【００７１】
ステップＳＰ３において紙幣制御部１６は、一時保留部１２に保持した全ての紙幣を紙幣入出金部５へ搬送し、次のステップＳＰ４へ移る。
【００７２】
このように紙幣制御部１６は、鑑別部１１において鑑別動作を行う前に、全投入紙幣の総数を計数し、投入紙幣枚数を得るようになされている。
【００７３】
ステップＳＰ４において紙幣制御部１６は、紙幣入出金部５から１枚ずつ紙幣を鑑別部１１へ搬送して鑑別処理を行うことにより正常紙幣か異常紙幣かを判定し、次のステップＳＰ５へ移る。
【００７４】
ステップＳＰ５において正常紙幣であると判定された場合、紙幣制御部１６は、ステップＳＰ６へ移り、紙幣を鑑別部１１から一時保留部１２へ搬送して保持させ、次のステップＳＰ７へ移る。
【００７５】
ステップＳＰ７において紙幣制御部１６は、正常紙幣カウンタＯＫ＿ＣＮＴを１だけ加算し、次のステップＳＰ１０へ移る。
【００７６】
一方ステップＳＰ５において異常紙幣であると判定された場合、紙幣制御部１６は、ステップＳＰ８へ移り、紙幣を鑑別部１１から紙幣入出金部５へ搬送して集積させ、次のステップＳＰ９へ移る。
【００７７】
ステップＳＰ９において紙幣制御部１６は、異常紙幣カウンタＮＧ＿ＣＮＴを１だけ加算し、次のステップＳＰ１０へ移る。
【００７８】
ステップＳＰ１０において紙幣制御部１６は、正常紙幣カウンタＯＫ＿ＣＮＴの値と異常紙幣カウンタＮＧ＿ＣＮＴの値とを加算した和の値が、投入枚数カウンタＴ＿ＣＮＴと等しいか否かを判定する。
【００７９】
ステップＳＰ１０において否定結果が得られると、このことは正常紙幣カウンタＯＫ＿ＣＮＴの値と異常紙幣カウンタＮＧ＿ＣＮＴの値との和が、投入枚数カウンタＴ＿ＣＮＴに達しておらず、紙幣入出金部５に集積された紙幣の全てが１回ずつ鑑別されたわけではなく、未だ鑑別していない紙幣が存在することを表し、このとき紙幣制御部１６はステップＳＰ４へ移り、鑑別部１１により次の紙幣の鑑別を行う。
【００８０】
一方ステップＳＰ１０において肯定結果が得られると、このことは紙幣入出金部５に集積された紙幣の全てが一通り鑑別されたことを表し、このとき紙幣制御部１６はステップＳＰ１１へ移る。
【００８１】
このように紙幣制御部１６は、正常紙幣を一時保留部１２へ搬送すると共に、異常紙幣を紙幣入出金部５へ搬送し集積する。また紙幣制御部１６はその後の処理において、紙幣入出金部５へ集積した異常紙幣のみを繰り返し再鑑別する。
【００８２】
ステップＳＰ１１において紙幣制御部１６は、リトライカウンタＲＴＹ＿ＣＮＴを１だけ加算し、次のステップＳＰ１２へ移る。
【００８３】
ステップＳＰ１２において紙幣制御部１６は、リトライカウンタＲＴＹ＿ＣＮＴがリトライ限度回数Ｒ＿ＭＡＸ＿ＣＮＴより小さいか否かを判定する。
【００８４】
リトライ限度回数Ｒ＿ＭＡＸ＿ＣＮＴとは、予め設定された、紙幣入出金部５に集積された異常紙幣を一通り再鑑別する回数（リトライ回数）の最大値を示している。
【００８５】
ステップＳＰ１２において肯定結果が得られると、このことはリトライカウンタＲＴＹ＿ＣＮＴがリトライ限度回数Ｒ＿ＭＡＸ＿ＣＮＴに達していないため、この後も引き続き再鑑別動作を行うことを表し、このとき紙幣制御部１６はステップＳＰ１３へ移る。
【００８６】
ステップＳＰ１３において紙幣制御部１６は、異常紙幣カウンタＮＧ＿ＣＮＴが”０”であるか否かを判定する。
【００８７】
ステップＳＰ１３において否定結果が得られると、このことは未だ異常紙幣が存在するために再鑑別動作を行う必要があることを表し、このとき紙幣制御部１６はステップＳＰ１４へ移る。
【００８８】
ステップＳＰ１４において紙幣制御部１６は、異常紙幣カウンタＮＧ＿ＣＮＴを”０”で初期化してステップＳＰ４へ戻り、紙幣入出金部５に集積された異常紙幣の再鑑別を行う。
【００８９】
一方ステップＳＰ１２において否定結果が得られると、このことはリトライカウンタＲＴＹ＿ＣＮＴがリトライ限度回数Ｒ＿ＭＡＸ＿ＣＮＴに達したため、これ以上は再鑑別動作を行わないことを表し、このとき紙幣制御部１６はステップＳＰ１５へ移る。
【００９０】
ステップＳＰ１５において紙幣制御部１６は、紙幣入出金部５に集積している異常紙幣の上に、一時保留部１２に保持している正常紙幣を集積し、顧客に投入紙幣を返却して、ステップＳＰ１６へ移り、入金処理手順ＲＴ１を終了する。
【００９１】
一方ステップＳＰ１３において肯定結果が得られると、このことは投入紙幣が全て正常紙幣であったため一時保留部１２へ搬送されたことを表し、このとき紙幣制御部１６はステップＳＰ１６へ移り、入金処理手順ＲＴ１を終了する。
【００９２】
［１−５．動作及び効果］
以上の構成において、紙幣入出金機１０は、本来鑑別機能を有する鑑別部１１において、まず鑑別を行わずに投入紙幣枚数を計数するようにした。
【００９３】
その後紙幣入出金機１０は、鑑別部１１により鑑別を行い、正常紙幣を一時保留部１２へ搬送して枚数を計数すると共に、異常紙幣を紙幣入出金部５へ搬送して枚数を計数するようにした。
【００９４】
さらに紙幣入出金機１０は、紙幣入出金部５に集積させた異常紙幣の鑑別を一通り行う再鑑別動作を繰り返し行い、正常紙幣は一時保留部１２に保留させることでその後の鑑別は行わない一方、異常紙幣は紙幣入出金部５に再び集積させることで、次の再鑑別動作の対象とするようにした。
【００９５】
このため紙幣入出金機１０は、正常紙幣の枚数と異常紙幣の枚数との和が投入紙幣枚数に達したか否かを判定するだけで、再鑑別動作を行う際、紙幣入出金部５に集積された紙幣を一通り鑑別したことを認識できる。
【００９６】
すなわち紙幣入出金機１０は、全投入紙幣の枚数の総数をまず計数して投入紙幣枚数を確定するというシンプルな処理を行うだけで、その後の異常紙幣の再鑑別回数を正確に把握できる。
【００９７】
ここで、紙幣入出金部において、分離繰り出しする紙幣と集積する紙幣とを物理的に分離する仕切板が設けられた紙幣入出金機の場合、投入紙幣枚数を計数することなく、投入紙幣を鑑別部により鑑別し、正常紙幣を一時保留部に保持させる一方、異常紙幣を紙幣入出金部へ集積する。
【００９８】
紙幣入出金部において異常紙幣は、繰り出される紙幣とは仕切板で物理的に分離されているため、一体になることはない。このため紙幣入出金機は、紙幣入出金部において繰り出されるべき未鑑別の紙幣が存在しなくなったとき、紙幣を一通り鑑別したと認識することができる。
【００９９】
これに対し本実施の形態による紙幣入出金部５は、分離繰り出しする紙幣と集積する紙幣とを物理的に分離する仕切板を設けないことにより、部材を簡略化しコストダウンができる。しかしながらその反面、繰り出す紙幣の上に異常紙幣が接触して集積されるため、紙幣入出金機１０は、紙幣入出金部５から繰り出す紙幣と、当該紙幣入出金部５に集積する紙幣とを物理的に分離して管理することができない。
【０１００】
このため従来の現金自動預払機においては、同一の記番号を読み取った場合、一通り紙幣を鑑別したと判定していた。
【０１０１】
しかしながら従来の現金自動預払機は、記番号が読み取れない場合、紙幣を一通り鑑別したことを認識できずに、際限なく紙幣を鑑別し続けてしまう。
【０１０２】
これに対し本実施の形態による紙幣入出金機１０は、記番号を読み取ることなく、まず投入紙幣枚数を確定するため、正常紙幣の枚数と異常紙幣の枚数との和を投入紙幣枚数と比較することで、紙幣入出金部５に収容された紙幣を一通り鑑別したことを認識できる。
【０１０３】
また従来の現金自動預払機においては、記番号が読み取れずに際限なく鑑別してしまう場合に備えて、紙幣が連続して異常紙幣と鑑別された枚数を計数して限度枚数に達した場合や、投入された紙幣が異常紙幣と鑑別された枚数を累積して限度枚数に達した場合に、入金処理を終了させることも考えられる。
【０１０４】
しかしながらそのような場合、例えば限度枚数が１０枚と設定されていて、１０枚以上投入された投入紙幣に１０枚異常紙幣が含まれていた場合、１０枚異常紙幣を検出した時点で入金処理を終了させてしまうため、その後の紙幣は鑑別されないことになってしまう。
【０１０５】
これに対し本実施の形態による紙幣入出金機１０は、記番号を読み取ることなく、まず投入紙幣枚数を確定するため、異常紙幣と鑑別された枚数が限度枚数に達したか否かの判定をする必要がない。このため紙幣入出金機１０は、投入紙幣を全て鑑別することができる。
【０１０６】
また紙幣入出金機１０は、正常紙幣カウンタＯＫ＿ＣＮＴと異常紙幣カウンタＮＧ＿ＣＮＴとを用いることにより、入金処理中において、正常紙幣の枚数と異常紙幣の枚数とを常に管理することができる。
【０１０７】
以上の構成によれば、紙幣入出金機１０は、繰り出される紙幣と集積される紙幣とを分別せず収容する紙幣入出金部５において、投入され収容された複数の紙幣を１枚ずつ分離して繰り出す分離繰出機構２４と、搬送された紙幣を、収容されている紙幣に重ねて集積する集積機構２３とを設けるようにした。また紙幣入出金機１０は、搬送部１４により少なくとも分離繰出機構２４と集積機構２３との間で紙幣を１枚ずつ搬送し、鑑別を行う前に、搬送部１４上に設けられた鑑別部１１により、紙幣入出金部５に投入された紙幣の総数である投入紙幣枚数を計数するようにした。
【０１０８】
これにより紙幣入出金機１０は、正常紙幣の枚数と異常紙幣の枚数との和を投入紙幣枚数と比較することで、紙幣入出金部５に収容された紙幣を一通り鑑別したことを認識し、再鑑別回数を正確に把握できる。
【０１０９】
［２．他の実施の形態］
なお上述した実施の形態においては、搬送部１４により搬送される紙幣を計数部としての鑑別部１１により計数する場合について述べた。
【０１１０】
本発明はこれに限らず、例えば一時保留部１２における紙幣の出入口の近傍等、鑑別部１１とは別に、搬送時に紙幣が通過する箇所に当該紙幣を検出するセンサを設け、当該センサの検出結果を基に紙幣の枚数を計数しても良い。但し、鑑別部１１において紙幣の計数を行った方が、構成を簡略化できる。
【０１１１】
また上述した実施の形態においては、一時保留部１２に投入紙幣を一旦保持させる場合について述べた。
【０１１２】
本発明はこれに限らず、特に投入紙幣の総数が少ない場合、一時保留部１２に投入紙幣を一旦保持させることなく、搬送部１４上に紙幣を搬送させつつ保持させて鑑別部１１により投入紙幣枚数の計数を行った後、紙幣入出金部５に集積しても良い。
【０１１３】
さらに上述した実施の形態においては、紙幣入出金部５に設けられた紙幣検出センサによって紙幣収容部２２の紙幣の存否を確認することにより、紙幣収容部２２の全ての紙幣が繰り出されたか否かを判定する場合について述べた。
【０１１４】
本発明はこれに限らず、例えば紙幣の記番号を鑑別部１１で読み取り、同一の記番号が印刷された紙幣を検知すると全ての紙幣が繰り出されたと判定しても良く、紙幣の破れや汚損等の特徴を鑑別部１１で読み取り、同一の特徴を有する紙幣を検知すると全ての紙幣が繰り出されたと判定しても良い。
【０１１５】
さらに上述した実施の形態においては、入金処理手順ＲＴ１において紙幣の記番号は確認しない場合について述べた。本発明はこれに限らず、例えば鑑別部１１において紙幣の記番号を読み取り、同一の記番号が印刷された紙幣を検知した場合、紙幣を一通り鑑別したと判定する処理を組み合わせても良い。
【０１１６】
さらに本発明においては、上述した紙幣入出金部５の構成に限らず、要は、分離する紙幣と集積する紙幣とが分別されていない紙幣入出金部であれば良い。
【０１１７】
さらに本発明においては、入金処理手順ＲＴ１のステップＳＰ１２において否定結果が得られた場合、投入紙幣に異常紙幣が混入していることを顧客操作部６に表示することにより顧客に伝えると共に、何枚目の紙幣が異常であったかを伝え、投入する紙幣の交換を促しても良い。
【０１１８】
さらに本発明においては、入金処理手順ＲＴ１のステップＳＰ１２において否定結果が得られた場合、リトライカウンタＲＴＹ＿ＣＮＴの値を用いて、例えば「１０回確認しましたがお預かりできません」と顧客操作部６に表示することにより顧客に伝えても良い。
【０１１９】
さらに本発明においては、入金処理手順ＲＴ１のステップＳＰ１２において否定結果が得られた場合、異常紙幣を顧客に返却することなく、損券庫１８に搬送して格納させても良い。
【０１２０】
さらに上述した実施の形態においては、紙幣制御部１６により入金処理手順ＲＴ１（図５及び図６）を実行する場合について述べた。
【０１２１】
本発明はこれに限らず、例えば主制御部９により、或いは主制御部９と紙幣制御部１６との協働により入金処理手順ＲＴ１を実行しても良い。
【０１２２】
さらに上述した実施の形態においては、記憶部２１に予め記憶させておいた入金処理プログラムを読み出して実行する場合について述べた。
【０１２３】
本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から入金処理プログラムを取得して実行しても良い。
【０１２４】
さらに上述した実施の形態においては、現金を取引する現金自動預払機１において、媒体としての紙幣を内部で搬送し、鑑別部１１により鑑別し、一時保留部１２又は紙幣入出金部５に搬送する場合について述べた。
【０１２５】
本発明はこれに限らず、例えば商品券や金券、入場券等のような薄い紙状の媒体を搬送し、その当該媒体を鑑別部により鑑別し、一時保留部又は紙幣入出金部に搬送する種々の装置に適用しても良い。
【０１２６】
また、例えば紙幣を入出する紙幣入出金機や紙幣を所定枚数ごとに施封する施封小束支払機等、紙幣や硬貨の取引に関する種々の処理を行う複数種類の装置の組み合わせにより構成された現金処理装置に本発明を適用してもよい。
【０１２７】
さらに上述した実施の形態においては、入金取引及び出金取引を行う現金自動預払機に本発明を適用する場合について述べたが、入金取引のみを行う装置に本発明を適用しても良い。
【０１２８】
さらに上述した実施の形態においては、媒体収容部としての紙幣入出金部５と、搬送路としての搬送部１４と、計数部としての鑑別部１１とによって媒体処理装置としての紙幣入出金機１０を構成する場合について述べた。
【０１２９】
本発明はこれに限らず、その他種々の構成でなる媒体収容部と、搬送路と、計数部とによって媒体処理装置を構成しても良い。
【産業上の利用可能性】
【０１３０】
本発明は、正常な媒体と異常な媒体とを鑑別する種々の装置でも利用できる。
【符号の説明】
【０１３１】
１……現金自動預払機、２……筐体、３……接客部、４……カード・レシート取扱部、５……紙幣入出金部、６……顧客操作部、７……硬貨入出金部、８……通帳取扱部、９……主制御部、１０……紙幣入出金機、１１……鑑別部、１２……一時保留部、１３……取忘れ回収庫、１４……搬送部、１５……紙幣収納部、１６……紙幣制御部、１７Ａ、１７Ｂ、１７Ｃ、１７Ｄ……紙幣カセット、１８……損券庫、１９……係員操作部、２０……記憶部、２１……記憶部、２２……紙幣収容部、２３……集積機構、２４……分離繰出機構、２５……紙幣プール壁、２６……開口部、２７……紙幣入出金口、２８……集積ローラ、２９……分離繰出ローラ、３０……フィードローラ、３１……舌片、ＯＫ＿ＣＮＴ……正常紙幣カウンタ、ＮＧ＿ＣＮＴ……異常紙幣カウンタ、ＲＴＹ＿ＣＮＴ……リトライカウンタ、Ｔ＿ＣＮＴ……投入枚数カウンタ、Ｒ＿ＭＡＸ＿ＣＮＴ……リトライ限度回数、ＢＬ……紙幣。
【図１】
2014016717.tif 000003
【図２】
2014016717.tif 000004
【図３】
2014016717.tif 000005
【図４】
2014016717.tif 000006
【図５】
2014016717.tif 000007
【図６】
2014016717.tif 000008